(57)【要約】【課題】  携帯情報端末装置のおかれた複雑な状況に応じて適宜に待受けモード等の動作モードを決定可能な携帯情報端末装置及びその動作モード決定システムを提供する。【解決手段】    複数種類の動作モードのうち何れかの動作モードで動作する携帯情報端末装置１である。携帯情報端末装置１のおかれた状況に応じて変化する複数種類の条件の何れかを決定条件として、動作モードを何れかに決定する動作モード決定手段３００を備える。動作モード決定手段３００は、複数種類の条件のうち優先順位の高い条件から順に決定条件とし、優先順位の高い条件により動作モードを決定できない場合には、順次、優先順位の低い条件を決定条件として、動作モードを何れかに決定する。【選択図】    図５
2005057525.tif 000002
【特許請求の範囲】
【請求項１】
複数種類の動作モードのうち何れかの動作モードで動作する携帯情報端末装置において、
当該携帯情報端末装置のおかれた状況に応じて変化する複数種類の条件の何れかを決定条件として、動作モードを何れかに決定する動作モード決定手段を備え、
前記動作モード決定手段は、
前記複数種類の条件のうち優先順位の高い条件から順に前記決定条件とし、優先順位の高い条件により動作モードを決定できない場合には、順次、優先順位の低い条件を前記決定条件として、動作モードを何れかに決定することを特徴とする携帯情報端末装置。
【請求項２】
前記複数種類の条件は、位置的あるいは時間的状況に応じて変化する条件であることを特徴とする請求項１に記載の携帯情報端末装置。
【請求項３】
当該携帯情報端末装置が他のデバイスとの間で近距離無線通信が可能な範囲に位置しているか否かを、前記複数種類の条件のうち少なくとも１つとすることを特徴とする請求項２に記載の携帯情報端末装置。
【請求項４】
当該携帯情報端末装置が近距離無線通信可能な範囲に位置している他のデバイスが如何なる動作状態であるかを、前記複数種類の条件のうち少なくとも１つとすることを特徴とする請求項３に記載の携帯情報端末装置。
【請求項５】
前記他のデバイスとして、複数のデバイスを対象とすることを特徴とする請求項３又は４に記載の携帯情報端末装置。
【請求項６】
前記他のデバイスには、車両に備えられたデバイスが含まれていることを特徴とする請求項３乃至５のいずれか一項に記載の携帯情報端末装置。
【請求項７】
前記他のデバイスには、装身器具が含まれていることを特徴とする請求項３乃至６のいずれか一項に記載の携帯情報端末装置。
【請求項８】
前記装身器具は腕時計であることを特徴とする請求項７に記載の携帯情報端末装置。
【請求項９】
前記他のデバイスには、家電製品が含まれていることを特徴とする請求項３乃至８のいずれか一項に記載の携帯情報端末装置。
【請求項１０】
前記家電製品は照明器具であることを特徴とする請求項９に記載の携帯情報端末装置。
【請求項１１】
前記照明器具の動作状態が点灯状態であるか否かを、前記複数種類の条件のうち少なくとも１つとすることを特徴とする請求項１０に記載の携帯情報端末装置。
【請求項１２】
当該携帯情報端末装置は、時刻あるいは時間を計時する計時手段を備え、該計時手段により所定時刻あるいは所定時間が計時されたか否かを、前記複数種類の条件のうち少なくとも１つとすることを特徴とする請求項２乃至１１のいずれか一項に記載の携帯情報端末装置。
【請求項１３】
前記複数種類の条件を、ユーザが設定操作することが可能に構成されていることを特徴とする請求項１乃至１２のいずれか一項に記載の携帯情報端末装置。
【請求項１４】
前記優先順位を、ユーザが設定操作可能に構成されていることを特徴とする請求項１乃至１３のいずれか一項に記載の携帯情報端末装置。
【請求項１５】
複数種類の動作モードのうち何れかの動作モードで動作する携帯情報端末装置において、
当該携帯情報端末装置が他のデバイスとの間で近距離無線通信が可能な範囲に位置しているか否かの判別を間欠的に実行し、該判別結果に応じて動作モードを何れかに決定する動作モード決定手段を備えることを特徴とする携帯情報端末装置。
【請求項１６】
前記他のデバイスを、ユーザが指定操作可能に構成されていることを特徴とする請求項１５に記載の携帯情報端末装置。
【請求項１７】
前記複数種類の動作モードには、複数種類の待受けモードが含まれ、
前記動作モード決定手段は、前記待受けモードを何れかに決定する待受けモード決定手段を含んで構成されていることを特徴とする請求項１乃至１６のいずれか一項に記載の携帯情報端末装置。
【請求項１８】
当該携帯情報端末装置は、携帯電話機であることを特徴とする請求項１乃至１７のいずれか一項に記載の携帯情報端末装置。
【請求項１９】
複数種類の動作モードのうち何れかの動作モードで動作する携帯情報端末装置の動作モードを決定するためのシステムであって、
請求項３乃至１８のいずれか一項に記載の携帯情報端末装置と、該携帯情報端末装置との間で近距離無線通信が可能なデバイスと、を備えることを特徴とする動作モード決定システム。
【請求項２０】
複数種類の動作モードのうち何れかの動作モードで動作する携帯情報端末装置の動作モードを決定するためのシステムであって、
請求項４に記載の携帯情報端末装置と、該携帯情報端末装置との間で近距離無線通信が可能なデバイスと、を備え、
前記デバイスは、該デバイスの動作状態に関する情報を、前記携帯情報端末装置に対して送信可能に構成されていることを特徴とする動作モード決定システム。
【発明の詳細な説明】
【技術分野】
【０００１】
本発明は、携帯情報端末装置及びその動作モード決定システムに関する。
【背景技術】
【０００２】
例えば携帯電話機などの携帯情報端末装置においては、着信時の状況を考慮して複数種類の待受けモードが用意されている。具体的な待受けモードとしては、例えば、通常モード、ドライブモード、伝言モード及びサイレントモードなどがある。このうち通常モードでは通常の着信動作を行う。ドライブモードでは着信時に発信者である相手方に対して「運転中であるため電話に出ることができない旨」をガイダンスにより伝える。伝言モード（留守番電話モードともいう）では相手方からの伝言メッセージを留守番電話サービスセンタで預かる。また、サイレントモードでは着信時に着信音を鳴らさないようにする。
【０００３】
一般的には、待受けモードをこれらのうち何れかに設定するにはユーザによる操作を要する。しかし、ユーザが状況に合わせてこまめに待受けモードを切り替えるのは面倒であるし、うっかり切り替えを忘れてしまったがために不都合を生じることも少なくないという問題がある。
【０００４】
このような問題に鑑みなされた従来の技術としては、例えば、携帯電話機に自動車のキーレスドアロック機能を搭載し、該携帯電話機によるドアロックＯＦＦ操作に連動して待受けモードをドライブモードに設定する一方で、該携帯電話機によるドアロックＯＮ操作に連動してドライブモードを設定解除するようにした技術がある（例えば、特許文献１参照）。
【０００５】
より具体的には、特許文献１の技術においては、携帯電話機と自動車側のドアロック機構との双方に赤外線通信手段を備え、携帯電話機側の赤外線通信手段よりドアロックＯＦＦあるいはドアロックＯＮのための操作信号が送信されると、ドアロック機構では、ドアロックＯＦＦ動作あるいはドアロックＯＮ動作を実行する。さらに、これら何れかの動作が完了すると、ドアロック機構側の赤外線通信手段より、該完了した旨（ドアロックＯＦＦ動作あるいはドアロックＯＮ動作が完了した旨）の信号が携帯電話機側に送信される。携帯電話機側では、この信号送信を受けて、ドアロックＯＦＦ動作完了の場合には待受けモードをドライブモードに設定し、ドアロックＯＮ動作完了の場合にはドライブモードを設定解除する。
【０００６】
この技術によれば、携帯電話機が、その赤外線通信手段によるドアロックＯＦＦ操作あるいはドアロックＯＮ操作に連動して自動的に待受けモードを設定するので、ユーザによる待受けモードの切替操作が不要となり、ユーザの負担を軽減することができる。
【０００７】
さらに、特許文献１においては、車載クレイドルに対する携帯電話機の着脱を検出し、車載クレイドルへの装着を検出した場合にはドライブモードを設定解除することも開示されている。加えて、特許文献１においては、自動車のギア位置あるいはエンジン回転数に応じてドライブモードへ設定あるいは設定解除することも開示されている。
【０００８】
また、上記の問題に鑑みなされた従来の他の技術としては、例えば、時刻あるいは時間を計時する計時手段を備え、複数の動作モードのうちの一の動作モードで動作しているときに、所定時刻あるいは所定時間を計時手段が計時したときには、動作モードを他の動作モードへ切り替えるようにした技術がある（例えば、特許文献２参照）。この技術によれば、所定時刻となるかあるいは所定時間が計時された場合に、携帯電話機が待受けモードを自動的に切り替えるので、ユーザによる待受けモードの切替操作が不要となり、ユーザの負担を軽減することができる。
【特許文献１】特開２０００−９１９８０号公報（第２頁、第８頁）
【特許文献２】特開２００１−４５５７０号公報（第２頁）
【発明の開示】
【発明が解決しようとする課題】
【０００９】
しかしながら、上記の特許文献１の技術では、待受けモード決定に際しての決定条件として、携帯電話機の赤外線通信手段によるドアロックＯＦＦ操作あるいはドアロックＯＮ操作がなされたか否か？」の情報、あるいは、「携帯電話機が車載クレイドルに装着された状態であるか否か？」の情報、あるいは、「自動車のギア位置はパーキング位置か否か？」の情報、あるいは、「自動車のエンジン回転数は所定値に達したか否か？」の情報というように、何れも自動車に関連した情報を用いている上、単に、これらのうち何れか１つのみを一度の決定に際して用いているため、複雑な状況に応じて適宜に待受けモードを決定することができない。すなわち、降車状態では通常モードとなってしまうため、例えば、降車状態、かつ、ユーザが携帯電話機から離れた場合には、ユーザが即座に電話に出ることができないにも拘わらず通常モードでの着信時動作を実行してしまうといった不都合を生じる。
【００１０】
さらに、特許文献１の技術は、赤外線通信手段によるドアロックＯＦＦ操作あるいはドアロックＯＮ操作をユーザが実行するのに連動して携帯電話機の待受けモードを切り替える技術である。このため、例えば、赤外線通信手段によらずに、ドアキーを用いて手動でドアロックを開閉する場合には、携帯電話機の待受けモードは自動的に切り替わらない。すなわち、単にユーザが携帯電話機を携帯したまま自動車に乗り込んで運転を開始するだけでは、携帯電話機の待受けモードは通常モードのままとなってしまい、不都合を生じる。
【００１１】
また、車載クレイドルへの装着を検出した場合にドライブモードを設定解除したり、あるいは、車載クレイドルへの装着時におけるギア位置あるいはエンジン回転数に応じてドライブモードへ設定あるいは設定解除したりするにしても、「車載クレイドルへの装着」というユーザの動作が必須となってしまう。従って、この場合にも、単にユーザが携帯電話機を携帯したままでは、待受けモードに関する何らの切り替え動作も実行されないという不都合を生じる。すなわち、特許文献１の技術は、待受けモードの設定操作という直接的な操作は不要となるが、赤外線通信手段によるドアロックＯＦＦ操作あるいはドアロックＯＮ操作や、車載クレイドルへの携帯電話機の装着といったような、間接的ではあるが積極的な何らかの動作をユーザが実行しなければ、待受けモードを切り替えることができないという問題がある。
【００１２】
また、上記の特許文献２の技術では、計時手段が所定時刻あるいは所定時間を計時したときには、その他の如何なる状況にも拘わらず動作モードが切り替わってしまう。このため、例えば、就眠時間になったら待受けモードをサイレントモードに切り替える設定とした場合には、たとえユーザが起きていたとしても設定した就眠時間に達したら自動的にサイレントモードに切り替わってしまい、電話に応答する意志があるにも拘わらず着信を逃してしまうといった不都合を生じる可能性がある。つまり、特許文献２の技術の場合にも、やはり、複雑な状況に応じて適宜に待受けモードを決定することができない。
【００１３】
さらに、上記の特許文献１あるいは特許文献２の何れにおいても、待受けモードの決定条件（どのような条件が成立した場合にどの待受けモードに切り替えるか）は既定となっていて変更できないため、例えば、ユーザの要求する決定条件が変化した場合には対応することができないという問題がある。
【００１４】
本発明は、上記のような問題点を解決するためになされたもので、携帯情報端末装置のおかれた複雑な状況に応じて適宜に待受けモード等の動作モードを決定可能で、しかも、ユーザによる積極的な動作を何ら要しないで動作モードを決定可能で、好ましくは、ユーザの要求する決定条件が変化した場合にも対応可能な携帯情報端末装置及びその動作モード決定システムを提供することを目的とする。
【課題を解決するための手段】
【００１５】
上記課題を解決するため、本発明の携帯情報端末装置は、複数種類の動作モードのうち何れかの動作モードで動作する携帯情報端末装置において、当該携帯情報端末装置のおかれた状況に応じて変化する複数種類の条件の何れかを決定条件として、動作モードを何れかに決定する動作モード決定手段を備え、前記動作モード決定手段は、前記複数種類の条件のうち優先順位の高い条件から順に前記決定条件とし、優先順位の高い条件により動作モードを決定できない場合には、順次、優先順位の低い条件を前記決定条件として、動作モードを何れかに決定することを特徴としている。
【００１６】
本発明の携帯情報端末装置においては、前記複数種類の条件は、位置的あるいは時間的状況に応じて変化する条件であることが好ましい。
【００１７】
この場合、当該携帯情報端末装置が他のデバイスとの間で近距離無線通信が可能な範囲に位置しているか否かを、前記複数種類の条件のうち少なくとも１つとすることが好ましい。
【００１８】
さらに、この場合、当該携帯情報端末装置が近距離無線通信可能な範囲に位置している他のデバイスが如何なる動作状態であるかを、前記複数種類の条件のうち少なくとも１つとすることが好ましい。
【００１９】
本発明の携帯情報端末装置においては、前記他のデバイスとして、複数のデバイスを対象とすることが好ましい。
【００２０】
本発明の携帯情報端末装置においては、前記他のデバイスには、車両に備えられたデバイスが含まれていることが好ましい。
【００２１】
また、本発明の携帯情報端末装置においては、前記他のデバイスには、装身器具が含まれていることも好ましい。
【００２２】
この場合、前記装身器具は腕時計であることを好ましい一例とする。
【００２３】
また、本発明の携帯情報端末装置においては、前記他のデバイスには、家電製品が含まれていることも好ましい。
【００２４】
この場合、前記家電製品は照明器具であることを好ましい一例とする。
【００２５】
さらに、この場合、前記照明器具の動作状態が点灯状態であるか否かを、前記複数種類の条件のうち少なくとも１つとすることも好ましい。
【００２６】
また、本発明の携帯情報端末装置においては、時刻あるいは時間を計時する計時手段を備え、該計時手段により所定時刻あるいは所定時間が計時されたか否かを、前記複数種類の条件のうち少なくとも１つとすることも好ましい。
【００２７】
本発明の携帯情報端末装置においては、前記複数種類の条件を、ユーザが設定操作可能に構成されていることが好ましい。
【００２８】
本発明の携帯情報端末装置においては、前記優先順位を、ユーザが設定操作可能に構成されていることも好ましい。
【００２９】
また、本発明の携帯情報端末装置は、複数種類の動作モードのうち何れかの動作モードで動作する携帯情報端末装置において、当該携帯情報端末装置が他のデバイスとの間で近距離無線通信が可能な範囲に位置しているか否かの判別を間欠的に実行し、該判別結果に応じて動作モードを何れかに決定する動作モード決定手段を備えることを特徴としている。
【００３０】
また、本発明の携帯情報端末装置においては、前記他のデバイスを、ユーザが指定操作可能に構成されていることが好ましい。
【００３１】
また、本発明の携帯情報端末装置においては、前記複数種類の動作モードには、複数種類の待受けモードが含まれ、前記動作モード決定手段は、前記待受けモードを何れかに決定する待受けモード決定手段を含んで構成されていることが好ましい。
【００３２】
なお、本発明の携帯情報端末装置は、携帯電話機であることを好ましい一例とする。
【００３３】
また、本発明の動作モード決定システムは、複数種類の動作モードのうち何れかの動作モードで動作する携帯情報端末装置の動作モードを決定するためのシステムであって、本発明の携帯情報端末装置と、該携帯情報端末装置との間で近距離無線通信が可能なデバイスと、を備えることを特徴としている。
【００３４】
あるいは、本発明の動作モード決定システムは、複数種類の動作モードのうち何れかの動作モードで動作する携帯情報端末装置の動作モードを決定するためのシステムであって、本発明の携帯情報端末装置と、該携帯情報端末装置との間で近距離無線通信が可能なデバイスと、を備え、前記デバイスは、該デバイスの動作状態に関する情報を、前記携帯情報端末装置に対して送信可能に構成されていることを特徴としている。
【発明の効果】
【００３５】
本発明によれば、携帯情報端末装置のおかれた状況に応じて変化する複数種類の条件の何れかを決定条件として、動作モードを何れかに決定する動作モード決定手段を備え、動作モード決定手段は、複数種類の条件のうち優先順位の高い条件から順に決定条件とし、優先順位の高い条件により動作モードを決定できない場合には、順次、優先順位の低い条件を決定条件として、動作モードを何れかに決定するので、複雑な状況に応じて適宜に待受けモード等の動作モードを決定することができる。
【００３６】
具体的には、当該携帯情報端末装置が他のデバイスとの間で近距離無線通信が可能な範囲に位置しているか否かや、携帯情報端末装置との間で近距離無線通信可能な範囲に位置している他のデバイスが如何なる動作状態であるかや、計時手段により所定時刻あるいは所定時間が計時されたか否かを決定条件として動作モードを決定するので、ユーザによる積極的な動作を何ら要しないで動作モードを決定することができる。
【００３７】
あるいは、本発明によれば、当該携帯情報端末装置が他のデバイスとの間で近距離無線通信が可能な範囲に位置しているか否かの判別を間欠的に実行し、該判別結果に応じて動作モードを何れかに決定する動作モード決定手段を備えるので、ユーザによる積極的な動作を何ら要しないで動作モードを決定することができる。
【００３８】
さらに、本発明によれば、決定条件となる複数種類の条件をユーザが設定操作可能に構成され、あるいは、これら複数種類の条件における優先順位をユーザが設定操作可能に構成され、あるいは、近距離無線通信の対象となる他のデバイスをユーザが指定操作可能に構成されているので、ユーザの要求する「動作モードの決定条件（となる条件）」が変化した場合にも対応することができる。
【発明を実施するための最良の形態】
【００３９】
以下、図面を参照して、本発明に係る実施形態について説明する。本実施形態では、本発明に係る携帯情報端末装置の適例としての携帯電話機と、その動作モード決定システムについて説明する。
【００４０】
以下、好ましい実施形態の例について説明する。
【００４１】
本実施形態に係る携帯電話機１（図１）においては、着信時の状況に応じて、その待受けモード（動作モード）を複数種類の待受けモードのうち何れかに設定可能となっている。本実施形態に係る携帯電話機１は、具体的には、例えば、その待受けモードを、通常モード、ドライブモード、伝言モード及びサイレントモードのうちの何れかの待受けモードに設定可能となっている。このうち通常モードでは通常の着信動作を行うようにし、ドライブモードでは着信時に発信者である相手方に対して「運転中であるため電話に出ることができない旨」をガイダンスにより伝えるようにし、伝言モード（留守番電話モードともいう）では相手方からの伝言メッセージを留守番電話サービスセンタで預かるようにし、サイレントモードでは着信時に着信音を鳴らさないようにしている。
【００４２】
また、図２に示すように、本実施形態に係る携帯電話機１は、例えば、当該携帯電話機１のユーザが使用する自動車（車両）に備えられたカーナビゲーションシステム（車両に備えられたデバイス）１０、ユーザが使用する腕時計（装身器具）２０、あるいは、ユーザの自宅の照明器具（家電製品）３０といった他のデバイス（以下、これらを総称して近距離無線デバイスともいう）との間での近距離無線通信が可能に構成されている。そして、携帯電話機１は、これら近距離無線デバイスの状態、すなわち、近距離無線デバイスが携帯電話機１と近距離無線通信可能な範囲内に位置しているか否か、あるいは、近距離無線デバイスが如何なる動作状態であるかを間欠的に監視し、近距離無線デバイスの状態に応じて、当該携帯電話機の待受けモードを自動的に何れかに設定するように構成されている。
【００４３】
なお、以上の各構成要素、すなわち、例えば、携帯電話機１、カーナビゲーションシステム１０、腕時計２０及び照明器具３０により、本実施形態に係る動作モード決定システム１０００が構成されている。
【００４４】
以下、動作モード決定システム１０００における各構成要素のより具体的な構成を説明する。
【００４５】
図１に示すように、携帯電話機１は、通話操作、電子メールの作成・送信操作及び待受けモードポリシー（後述）の設定操作等の各種操作をユーザが行うための操作部としてのユーザインタフェース３と、各種の表示を行う表示部４と、当該携帯電話機１と外部（具体的には、例えば携帯電話用基地局）との間で情報通信（通話あるいは電子メール送受信等）のための無線信号を送受信する無線部５と、通話の際に相手方に送信される音声を検出する送話部６と、通話の際に相手方から受信される音声を出力する受話部７と、当該携帯電話機１の近くに位置する他のデバイスとの間で近距離無線通信を行うための近距離無線部２０１と、時刻を計時する時計部９と、当該携帯電話機１の各構成要素を統括的に制御する制御部８と、を備えている。
【００４６】
このうちユーザインタフェース３は、例えば、ユーザに操作される複数の操作キーを備えて構成されている。そして、これら操作キーのうち何れかをユーザが適宜に操作することにより、各操作に対応付けられた機能が制御部８の制御下で実行されるようになっている。なお、ユーザインタフェース３は、当該携帯電話機１の待受けモードの決定に際してのポリシーとなる待受けモードポリシーの設定操作を行うためのモードポリシー設定ユーザインタフェース１０１を含む。すなわち、このモードポリシー設定ユーザインタフェース１０１をユーザが操作することにより、監視対象となる近距離無線デバイスを指定するためのデバイス情報を入力したり、待受けモードの決定条件となる複数種類の条件を入力したり、これらの各条件の優先順位を設定したりすることが可能となっている。つまり、所望のデバイス情報及び条件を入力したり各条件の優先順位を所望の順位に設定する結果として、待受けモードポリシーを所望の設定として登録することが可能となっている。
【００４７】
また、表示部４は、例えば液晶表示装置により構成され、その表示画面では、ユーザの操作あるいは着信動作に応じて各種の表示を行う。
【００４８】
また、無線部５は、基地局からの無線信号を受信し、該受信した無線信号を復調する。このように復調された無線部５からの出力信号は、音声信号又は制御信号として制御部８に入力される。このうち、音声信号は制御部８にて音声処理されて受話部７から音声として出力され、制御信号は制御部８での処理に用いられる。また、無線部５は、制御部８からの音声信号又は制御信号を変調し無線信号に変えて、該無線信号を基地局に送信する。携帯電話機１は、このように無線部５を介して無線通信を行うことにより、通話や電子メールの送受信等の情報通信を実行することができる。
【００４９】
また、制御部８は、ＣＰＵ（Ｃｅｎｔｒａｌ  Ｐｒｏｃｅｓｓｉｎｇ  Ｕｎｉｔ）８１、ＲＯＭ（Ｒｅａｄ  Ｏｎｌｙ  Ｍｅｍｏｒｙ）８２及びＲＡＭ（Ｒａｎｄｏｍ  Ａｃｃｅｓｓ  Ｍｅｍｏｒｙ）８３を備えて構成されている。
【００５０】
このうちＲＯＭ８２は、ＣＰＵ８１による演算用及び制御用のプログラム及びデータを記憶している。
【００５１】
ＲＡＭ８３は、ＣＰＵ８１の作業領域、受信したデータ（例えば受信メールのデータ）の記憶領域を備える他、監視デバイスリスト１０２及び待受けモードポリシーデータベース１０３（何れも図３参照）を備えている。
【００５２】
このうち監視デバイスリスト１０２は、ユーザによって監視対象に指定された近距離無線デバイス（監視デバイス）のリストを記憶保持するとともに、該監視対象とされた近距離無線デバイスの状態（デバイス状態）を記憶保持する。
【００５３】
また、待受けモードポリシーデータベース１０３は、ユーザに入力された条件及びその優先順位を記憶するための記憶領域である。
【００５４】
また、ＣＰＵ８１は、演算部、制御部を備え、ＲＯＭ８２に記憶されている各プログラムを実行することにより、各種演算処理や表示部４、無線部５、受話部７及び近距離無線部２０１の動作制御の他、待受けモードポリシーに従って待受けモードを決定する処理や、監視デバイスリスト１０２及び待受けモードポリシーデータベース１０３にデータを記憶させる処理を行う。
【００５５】
また、近距離無線部２０１は、例えば、Ｂｌｕｅｔｏｏｔｈ（商標登録番号第４４７７９３６号：テレフオンアクチーボラゲット エル エム エリクソン）方式あるいは無線ＬＡＮなどの近距離無線通信手段からなる。
【００５６】
他方、図２に示すように、近距離無線デバイスとしてのカーナビゲーションシステム１０、腕時計２０及び照明器具３０は、それぞれ、携帯電話機１の近距離無線部２０１との間で近距離無線通信が可能な近距離無線部１１，２１、３１を備えている。
【００５７】
なお、本実施形態では、具体的には、例えば、近距離無線部２０１、１１、２１、３１は、Ｂｌｕｅｔｏｏｔｈ方式の近距離無線通信手段からなるものとする。
【００５８】
近距離無線部２０１は、監視対象となっている近距離無線デバイス（つまり監視デバイスリスト１０２に登録されている近距離無線デバイス）の状態の監視を、制御部８の制御下で間欠的に実行する。
【００５９】
すなわち、監視対象となっている近距離無線デバイス（カーナビゲーションシステム１０、腕時計２０及び照明器具３０の何れか）の近距離無線部（近距離無線部１１、２１、３１の何れか）に対し近距離無線部２０１が間欠的に応答要求を発信するのに応じて、近距離無線デバイス１０、２０、３０の近距離無線部１１、２１、３１が応答した場合には、近距離無線部２０１は、近距離無線通信の無線通信範囲内（無線範囲内）であると判定する。
【００６０】
他方、近距離無線デバイス１０、２０、３０の近距離無線部１１、２１、３１が応答しない場合には、近距離無線部２０１は、近距離無線通信の無線通信範囲外（無線範囲外）であると判定する。
【００６１】
特に、照明器具３０は、応答要求に対する応答の際には、照明器具３０の動作状態、すなわち、点灯状態であるか消灯状態であるかの情報も、近距離無線部２０１に対して送信する。
【００６２】
Ｂｌｕｅｔｏｏｔｈ方式の場合、応答要求は、近距離無線部２０１よりインクワイアリを発信することにより行い、近距離無線デバイス側の近距離無線部からの応答要求を受信した場合にその近距離無線部との接続を行い、接続が有効な期間は無線範囲内と判定する。すなわち、Ｂｌｕｅｔｏｏｔｈ方式の場合、インクワイアリに応答した近距離無線部とＡＣＬリンクを形成し、そのＡＣＬリンクが形成されている期間は無線範囲内であると判定する。
【００６３】
なお、近距離無線部２０１と近距離無線部１１、２１、３１との通信の際には、該通信内容に含まれる固有情報（各近距離無線部１１、２１、３１に対して割り当てられた各々固有の情報；例えば、Ｂｌｕｅｔｏｏｔｈ方式の場合はＢｌｕｅｔｏｏｔｈデバイスアドレス、無線ＬＡＮの場合はＭＡＣアドレス）に基づいて、近距離無線部１１、２１、３１のうちの何れの無線部との間で無線通信を行っているかを近距離無線部２０１が判別する。
【００６４】
次に、図３に示すように、携帯電話機１が備える各構成要素を主要な機能毎に分類すれば、モードポリシー設定ユーザインタフェース１０１、監視デバイスリスト１０２及び待受けモードポリシーデータベース１０３により待受けモードポリシー設定部１００（ユーザが待受けモードポリシーを設定するための機能部）が構成されている。また、近距離無線部２０１及び制御部８（近距離無線部２０１の動作制御を行う機能部）により近距離無線状態監視部２００が構成されている。さらに、制御部８（近距離無線状態監視部２００による監視結果及びユーザにより設定された待受けモードポリシーに基づいて当該携帯電話機１の待受けモードを自動的に決定する機能部）により待受けモード決定部（動作モード決定手段；待受けモード決定手段）３００が構成されている。
【００６５】
このうち近距離無線状態監視部２００は、各近距離無線デバイスのデバイス状態の監視を行い、監視結果の変化を検出すると、監視デバイスリスト１０２のデバイス状態を更新したり、監視結果に変化（デバイス状態の変化）があった旨の通知を待受けモード決定部３００に対して行う。
【００６６】
すなわち、近距離無線状態監視部２００は、近距離無線部２０１と各近距離無線デバイスとの間での近距離無線接続状態の監視、並びに、各近距離無線デバイスの動作状態の監視を間欠的に実行する。そして、携帯電話機１と近距離無線デバイスとの近距離無線通信状態が通信範囲外から範囲内に変化したか、あるいは、通信範囲内から範囲外に変化したことを検出すると、その変化に応じて監視デバイスリスト１０２のデバイス状態を更新し、その変化を待受けモード決定部３００に通知する。また、近距離無線状態監視部２００は、近距離無線デバイスの動作状態（本実施形態の場合、例えば、照明器具３０が点灯状態であるか否か）を監視し、その動作状態の変化を検出した場合にも、その変化に応じて監視デバイスリスト１０２のデバイス状態を更新し、その変化を待受けモード決定部３００に通知する。
【００６７】
また、待受けモード決定部３００は、近距離無線状態監視部２００より、デバイス状態の変化があった旨の通知を受けると、待受けモードポリシーデータベース１０３に登録された待受けモードポリシーに従って待受けモードを決定し、決定した待受けモードに設定する。すなわち、待受けモードの決定に際しては、待受けモード決定部３００は、監視デバイスリスト１０２に記憶保持されたデバイス状態と、待受けモードポリシーデータベース１０３に記憶保持された条件及びその優先順位と、を参照し、これら参照した情報に従って待受けモードを決定する。
【００６８】
次に、動作を詳細に説明する。
【００６９】
先ず、携帯電話機１のユーザは、待受けモードポリシーを登録する。すなわち、待受けモードポリシー設定部１００の待受けモードポリシー設定ユーザインタフェース１０１を適宜に操作して、監視デバイス（監視対象とする近距離無線デバイス）のデバイス情報と複数種類の条件とを入力し、各条件の優先順位を設定する。ユーザが入力したデバイス情報は監視デバイスリスト１０２に、待受けモードの決定条件となる条件及びその優先順位は待受けモードポリシーデータベース１０３にそれぞれ登録される。
【００７０】
具体的には、例えば、デバイス情報として、例えば、カーナビゲーションシステム１０及び腕時計２０を指定するデバイス情報を入力した場合には、図４に示すように、監視デバイスリスト１０２には、監視デバイスとして「カーナビゲーションシステム」及び「自分の腕時計」が登録される。
【００７１】
すると、以後において監視デバイスリスト１０２のデバイス状態には、近距離無線状態監視部２００による監視結果に応じて、カーナビゲーションシステム１０及び腕時計２０のデバイス状態（例えば、各監視デバイスが携帯電話機１の近距離無線部２０１との間で近距離無線通信可能な範囲内にあるか否かの情報）が記憶されるようになる。
【００７２】
また、図４に示す待受けモードポリシーデータベース１０３は、例えば、優先順位が１番の条件として「対象デバイス“カーナビゲーション”が、無線範囲内なら“ドライブモード”に決定し、無線範囲外なら次の条件へ」との条件を入力し、優先順位が２番の条件として「対象デバイス“自分の腕時計”が、無線範囲内なら“通常モード”に決定し、無線範囲外なら伝言モードに決定する」との条件を入力した場合の例を示す。
【００７３】
なお、この例に示すように、各条件は、いずれも携帯電話機１のおかれた位置的状況（他の近距離無線デバイスとの位置関係）に応じて変化する条件である。
【００７４】
次に、図４に示すような待受けモードポリシーが登録されている場合に、携帯電話機１を携帯し、監視デバイスとしての腕時計２０を身につけたユーザが、カーナビゲーションシステム１０を備える自動車に乗り込む場合の動作を説明する。
【００７５】
先ず、ユーザが自動車から所定の距離以上離れた場所に居る段階では、近距離無線状態監視部２００は、カーナビゲーションシステム１０は近距離無線範囲外であると判定する一方で、ユーザが身につけている腕時計２０は近距離無線範囲内であると判定する。従って、この段階での監視デバイスリスト１０２のデバイス状態は「“カーナビゲーションシステム”は“無線範囲外”、かつ、“自分の腕時計”は“無線範囲内”」の状態となり、この段階での待受けモードは通常モードとなる。
【００７６】
次に、ユーザが自動車に乗り込むと、近距離無線状態監視部２００は、自動車内のカーナビゲーションシステム１０と腕時計２０との双方が近距離無線範囲内であると判定し、監視デバイスリスト１０２の“カーナビゲーションシステム”のデバイス状態を“無線範囲内”に更新するとともに、デバイス状態が変化したことを待受けモード決定部３００に通知する。
【００７７】
デバイス状態の変化の通知を受けると、待受けモード決定部３００は、待受けモードポリシーデータベース１０３に登録された優先順位の順に、各条件に従って、待受けモード決定の処理を行う。すなわち、先ず、優先順位が１番の条件（「対象デバイス“カーナビゲーションシステム”が、無線範囲内なら“ドライブモード”に決定し、無線範囲外なら次の条件へ」）を決定条件とする。この場合、“カーナビゲーションシステム”は“無線範囲内”であるため、待受けモードをドライブモードに決定し、該待受けモードの設定状態を通常モードからドライブモードに変更する。
【００７８】
次に、ユーザが自動車から降りて自動車から所定の距離以上離れると、近距離無線状態監視部２００により監視デバイスリスト１０２の“カーナビゲーションシステム”のデバイス状態が“無線範囲外”に更新され、その通知を受けた待受けモード決定部３００は、再び待受けモード決定の処理を行う。すなわち、先ず、優先順位が１番の条件（「対象デバイス“カーナビゲーションシステム”が、無線範囲内なら“ドライブモード”に決定し、無線範囲外なら次の条件へ」）を決定条件とする。この場合、“カーナビゲーションシステム”は“無線範囲外”であるため、優先順位が１番の条件では待受けモードを決定できないので、優先順位が次（２番）の条件（「対象デバイス“自分の腕時計”が、無線範囲内なら“通常モード”に決定し、無線範囲外なら伝言モードに決定する」）を決定条件とする。この場合、“自分の腕時計”は“無線範囲内”であるので、待受けモードを通常モードに決定し、該待受けモードの設定状態をドライブモードから通常モードに変更する。
【００７９】
次に、ユーザが携帯電話機１をどこかに置いて、腕時計２０は身に付けたまま携帯電話機１から離れると、近距離無線状態監視部２００により監視デバイスリスト１０２の“自分の腕時計”のデバイス状態が“無線範囲外”に更新され、その通知を受けた待受けモード決定部３００は、待受けモード決定の処理を行う。すなわち、先ず、優先順位が１番の条件を決定条件とするが、この場合“カーナビゲーションシステム”は“無線範囲外”であるため、優先順位が２番の条件を決定条件とする。この場合、“自分の腕時計”も“無線範囲外”であるので、待受けモードを伝言モードに決定し、該待受けモードの設定状態を通常モードから伝言モードに変更する。
【００８０】
以上のような待受けモード決定の処理のフローチャートを図５に示す。
【００８１】
すなわち、先ず、ステップＳ１では、カーナビゲーションシステム１０が携帯電話機１の近距離無線通信の範囲内であるか否かを判定し（監視デバイスリスト１０２のデバイス状態を参照することにより判定し）、範囲内であると判定した場合には（ステップＳ１のＹＥＳ）、待受けモードをドライブモードに決定する（ステップＳ２）。
【００８２】
他方、ステップＳ１にて、カーナビゲーションシステム１０が携帯電話機１の近距離無線通信の範囲内ではないと判定した場合には（ステップＳ１のＮＯ）、ステップＳ３に移行する。
【００８３】
ステップＳ３では、自分の腕時計２０が携帯電話機１の近距離無線通信の範囲内であるか否かを判定し、範囲内であると判定した場合には（ステップＳ３のＹＥＳ）、待受けモードを通常モードに決定する（ステップＳ４）。
【００８４】
他方、ステップＳ３にて、自分の腕時計２０が携帯電話機１の近距離無線通信の範囲内ではないと判定した場合には（ステップＳ３のＮＯ）、待受けモードを伝言モードに決定する（ステップＳ５）。
【００８５】
次に、図４の例とは異なる待受けモードポリシー（図６）が登録された場合の動作を説明する。
【００８６】
すなわち、以下で動作を説明する例の場合、例えば、デバイス情報としては、自宅の照明器具のみが入力され、監視デバイスリスト１０２には、図６に示すように監視デバイスとして「自宅の照明器具」のみが登録されている。
【００８７】
この場合、デバイス状態としては、照明器具３０が携帯電話機１の近距離無線通信の範囲内であるか否かの情報だけでなく、照明器具３０が点灯状態であるか否か（他のデバイスが如何なる動作状態であるか）の情報も記憶される。なお、照明器具３０が点灯状態であるか否かの情報（デバイスの動作状態に関する情報）は、照明器具３０の近距離無線部３１より携帯電話機１の近距離無線部２０１に送信される。
【００８８】
また、図６に示す待受けモードポリシーデータベース１０３は、例えば、優先順位が１番の条件として「対象デバイス“自宅の照明器具”が、無線範囲外なら“通常モード”に決定し、無線範囲内なら次の条件へ」との条件を入力し、優先順位が２番の条件として「対象デバイス“自宅の照明器具”が、点灯状態（照明点灯）なら“通常モード”に決定し、消灯状態（照明消灯）なら次の条件へ」との条件を入力し、優先順位が３番の条件として「対象デバイス“携帯電話機”が、その時計（時計部９）の時刻が７：００〜２３：００なら通常モードに決定し、時計の時刻が２３：００〜７：００ならサイレントモードに決定」との条件を入力した場合の例を示す。
【００８９】
なお、この例に示すように、各条件には、携帯電話機１のおかれた時間的状況に応じて変化する条件（優先順位が３番の条件）も含まれている。
【００９０】
次に、図６に示すような待受けモードポリシーが登録されている場合に、携帯電話機１を携帯したユーザが外出先から帰宅した場合の動作を説明する。
【００９１】
先ず、ユーザが外出先に居る段階では、近距離無線状態監視部２００は、照明器具３０が近距離無線範囲外であると判定する。従って、この段階での監視デバイスリスト１０２のデバイス状態は「“自宅の照明器具”は“無線範囲外”、かつ、“照明消灯”」の状態となり、この段階での待受けモードは通常モードとなる。
【００９２】
次に、ユーザが外出先から帰宅して照明器具３０を点灯させると、近距離無線状態監視部２００は、照明器具３０が近距離無線範囲内、かつ、点灯状態であると判定し、監視デバイスリスト１０２の“自宅の照明器具”のデバイス状態を“無線範囲内”かつ“照明点灯”に更新するとともに、デバイス状態が変化したことを待受けモード決定部３００に通知する。デバイス状態の変化の通知を受けると、待受けモード決定部３００は待受けモード決定の処理を行う。すなわち、先ず、優先順位が１番の条件（「対象デバイス“自宅の照明器具”が、無線範囲外なら“通常モード”に決定し、無線範囲内なら次の条件へ」）を決定条件とする。この場合、“自宅の照明器具”は“無線範囲内”であるため、優先順位が１番の条件では待受けモードを決定できないので、優先順位が２番の条件（「対象デバイス“自宅の照明器具”が、照明点灯なら“通常モード”に決定し、照明消灯なら次の条件へ」）を決定条件とする。この場合、“自宅の照明器具”は“照明点灯”であるので、待受けモードを通常モードに決定し、該待受けモードの設定状態は通常モードのままとなる。
【００９３】
次に、ユーザが就寝時に照明器具３０を消灯すると、近距離無線状態監視部２００は、照明器具３０が近距離無線範囲内、かつ、消灯状態であると判定し、監視デバイスリスト１０２の“自宅の照明器具”のデバイス状態を“無線範囲内”かつ“照明消灯”に更新するとともに、デバイス状態が変化したことを待受けモード決定部３００に通知する。デバイス状態の変化の通知を受けた待受けモード決定部３００は、待受けモード決定の処理を行う。すなわち、先ず、優先順位が１番の条件を決定条件とする。この場合、“自宅の照明器具”は“無線範囲内”であるため、優先順位が１番の条件では待受けモードを決定できず、優先順位が２番の条件を決定条件とする。この場合、“自宅の照明器具”は“照明消灯”であるので、優先順位が２番の条件でもやはり待受けモードを決定できず、優先順位が３番の条件を決定条件とする。すなわち、時計部９より現在時刻を取得し、該取得した時刻に応じて、待受けモードをサイレントモードにするか通常モードにするかを決定する。具体的には、例えば、時刻が７：００〜２３：００であれば通常モードに、２３：００〜７：００であればサイレントモードに決定する。このため、例えば、２３：００を過ぎて就眠のために照明器具３０を消灯した場合には、サイレントモードとなる。
【００９４】
また、翌朝７：００になると、（優先順位が３番の条件を決定条件として）待受けモードは自動的に通常モードに変更される。
【００９５】
なお、例えば、優先順位が３番の条件により設定された、サイレントモードに移行する時刻（例えば、２３：００）になっても、携帯電話機１のユーザが外出していて自宅にいない場合や、自宅にいても照明器具３０が点灯している場合、つまりユーザが起きている（就眠していない）場合は、条件１または２に従って、サイレントモードにならずに通常モードとして動作する。
【００９６】
次に、図６に示すような待受けモードポリシーが登録されている場合に待受けモード決定部３００により行われる待受けモード決定の処理を、図７のフローチャートを参照して説明する。
【００９７】
図７に示すように、先ず、ステップＳ１１では、照明器具３０（自宅の照明）が携帯電話機１の近距離無線通信の範囲内であるか否かを判定し、範囲内ではない（範囲外である）と判定した場合には（ステップＳ１１のＮＯ）、待受けモードを通常モードに決定する（ステップＳ１２）。
【００９８】
他方、ステップＳ１１にて、照明器具３０が携帯電話機１の近距離無線通信の範囲内であると判定した場合には（ステップＳ１１のＹＥＳ）、ステップＳ１３に移行する。
【００９９】
ステップＳ１３では、照明器具３０が点灯されているか否かを判定し、点灯されていると判定した場合には（ステップＳ１３のＹＥＳ）、待受けモードを通常モードに決定する（ステップＳ１４）。
【０１００】
他方、ステップＳ１３にて、照明器具３０が点灯されていないと判定した場合には（ステップＳ１３のＮＯ）、ステップＳ１５に移行する。
【０１０１】
ステップＳ１５では、時計部９の時刻が７：００〜２３：００の間であるか否かを判定し、７：００〜２３：００の間であると判定した場合には（ステップＳ１５のＹＥＳ）、待受けモードを通常モードに決定する（ステップＳ１６）。
【０１０２】
他方、ステップＳ１６にて、７：００〜２３：００の間ではないと判定した場合には（ステップＳ１６のＮＯ）、ステップＳ１７に移行し、待受けモードをサイレントモードに決定する（ステップＳ１７）。
【０１０３】
以上のような実施形態によれば、携帯電話機１のおかれた状況に応じて変化する複数種類の条件の何れかを決定条件として、待受けモードを何れかに決定する待受けモード決定部３００を備え、待受けモード決定部３００は、複数種類の条件のうち優先順位の高い条件から順に決定条件とし、優先順位の高い条件により待受けモードを決定できない場合には、順次、優先順位の低い条件を決定条件として、待受けモードを何れかに決定するので、携帯電話機１のおかれた複雑な状況に応じて適宜に待受けモードを決定することができる。
【０１０４】
具体的には、携帯電話機１が近距離無線デバイス（カーナビゲーションシステム１０，腕時計２０，照明器具３０）との間で近距離無線通信が可能な範囲に位置しているか否かや、近距離無線通信可能な範囲に位置している照明器具３０が如何なる動作状態であるかや、時計部９により所定時刻が計時されたか否かを決定条件として待受けモードを決定するので、ユーザによる積極的な動作を何ら要しないで動作モードを決定することができる。
【０１０５】
特に、携帯電話機１が近距離無線デバイス１０，腕時計２０，照明器具３０との間で近距離無線通信が可能な範囲に位置しているか否かの判別を間欠的に実行するので、待受けモードの決定をより好適に行うことができる。
【０１０６】
さらに、決定条件となる複数種類の条件及びこれら複数種類の条件における優先順位をユーザが設定操作可能に構成されているとともに、近距離無線通信の対象となる他のデバイス（監視デバイス）をユーザが指定操作可能に構成されているので、ユーザの要求する「待受けモードの決定条件となる条件」が変化した場合にも対応することができる。
【０１０７】
なお、上記の各実施形態では、本発明に係る携帯情報端末の一例として、携帯電話機１についてのみ説明したが、本発明はこれに限らず、例えば、ＰＨＳ、携帯型情報通信端末（ＰＤＡ）等のその他の携帯情報端末にも同様に適用可能である。
【０１０８】
また、上記においては、動作モードとして、待受けモードのみを説明したが、待受けモード以外の動作モードに本発明を適用しても良い。すなわち、例えば、自宅の照明器具３０の無線範囲外であれば、表示部４のバックライトを点灯可能状態（例えば、操作の際や着信動作の際に限り点灯する）とし、照明器具３０の無線範囲内であれば、該照明器具３０の動作状態を判定し、照明器具３０が点灯状態であればバックライトを消灯状態（操作あるいは着信に関わらず常に消灯状態）に変更する一方で、照明器具３０が消灯状態であれば点灯可能状態にすることが挙げられる。
【０１０９】
また、車両に備えられたデバイスとしてカーナビゲーションシステム１０を例示したが、その他のデバイス（例えば、音響機器、シュガーライターから電源取得する自動車用のアクセサリ、あるいは、無線を利用して自動車の鍵の開閉を行うデバイス）であっても良い。
【０１１０】
また、装身器具として腕時計２０を例示したが、その他の装身器具であっても良い。あるいは、単に、近距離無線部２０１との間で近距離無線通信が可能な近距離無線装置をユーザがポケットに入れて持ち歩くことにより上記と同様の効果を得るようにしても良い。
【０１１１】
さらに、家電製品として照明器具３０を例示したが、その他の家電製品であっても良い。
【図面の簡単な説明】
【０１１２】
【図１】本発明に係る実施形態の携帯電話機を示すブロック図である。
【図２】本発明に係る動作モード決定システムを示すブロック図である。
【図３】携帯電話機の機能毎の構成を示すブロック図である。
【図４】待受けモードポリシーの入力例を示す図である。
【図５】図４に示す待受けモードポリシーの場合における待受けモード決定部の処理を示すフローチャートである。
【図６】待受けモードポリシーの他の入力例を示す図である。
【図７】図６に示す待受けモードポリシーの場合における待受けモード決定部の処理を示すフローチャートである。
【符号の説明】
【０１１３】
１        携帯電話機（携帯情報端末装置）
３００    待受けモード決定部（待受けモード決定手段、動作モード決定手段）
１０      カーナビゲーションシステム（他のデバイス、車両に備えられたデバイス）
２０      腕時計（他のデバイス、装身器具）
３０      照明器具（他のデバイス、家電製品）
９        時計部（計時手段）
１０００  動作モード決定システム
【図１】
2005057525.tif 000003
【図２】
2005057525.tif 000004
【図３】
2005057525.tif 000005
【図４】
2005057525.tif 000006
【図５】
2005057525.tif 000007
【図６】
2005057525.tif 000008
【図７】
2005057525.tif 000009